(57)【要約】【課題】比較的に簡単な処理により複数のユーザが同一コンテンツを同時に視聴する。【解決手段】コンテンツ再生端末１０は、サーバ装置２０に記録された、端末間で同時に再生するコンテンツ及びコンテンツを再生する予定時刻を表す再生予約情報に基づいて、再生対象のコンテンツを再生する予定時刻を設定する再生予約設定部１１ａ、再生予約設定部１１ａにより設定された再生対象のコンテンツ及びコンテンツを再生する予定時刻を表す再生予約情報をサーバ装置２０に送信する再生予約情報送信部１１ｂ、再生予約設定部１１ａにより設定された予定時刻に基づいて、再生対象のコンテンツを再生する再生制御部１１ｃを備える。【選択図】図２
2013207791.tif 000002
【特許請求の範囲】
【請求項１】
端末間で同時に再生するコンテンツ及び前記コンテンツを再生する予定時刻を表す再生予約情報が記録されたサーバ装置と通信を行い、前記サーバ装置に記録された前記再生予約情報に基づいて、再生対象のコンテンツを再生する予定時刻を設定する再生予約設定部と、
前記再生予約設定部により設定された前記再生対象のコンテンツ及び前記コンテンツを再生する予定時刻を表す再生予約情報を前記サーバ装置に送信する再生予約情報送信部と、
前記再生予約設定部により設定された前記予定時刻に基づいて、前記再生対象のコンテンツを再生する再生制御部と、を備える、
ことを特徴とするコンテンツ再生端末。
【請求項２】
前記再生予約設定部により設定された前記予定時刻に基づいて、他の端末との間でコメントを共有するための接続先に接続する通信制御部をさらに備える、
ことを特徴とする請求項１に記載のコンテンツ再生端末。
【請求項３】
前記コンテンツを記憶するコンテンツ記憶部を備え、
前記再生予約設定部は、前記コンテンツ記憶部に記録されたコンテンツの中から前記再生対象のコンテンツの選択を受け付ける、
ことを特徴とする請求項１または２に記載のコンテンツ再生端末。
【請求項４】
前記再生予約設定部は、前記サーバ装置に前記再生対象のコンテンツに対応する再生予約情報を問い合わせ、前記サーバ装置から前記問い合わせの結果として受け取る前記予定時刻の候補の中から時刻の選択を受け付け、選択された時刻を前記予定時刻として設定する、
ことを特徴とする請求項３に記載のコンテンツ再生端末。
【請求項５】
前記再生予約設定部は、前記予定時刻の候補以外の時刻の設定を受け付け、受け付けた時刻を前記予定時刻として設定する、
ことを特徴とする請求項４に記載のコンテンツ再生端末。
【請求項６】
前記再生予約設定部は、前記サーバ装置に記録された再生予約情報の一覧から前記再生対象のコンテンツ及び前記コンテンツを再生する予定時刻の選択を受け付け、選択された前記再生対象のコンテンツ及び前記コンテンツを再生する予定時刻を設定する、
ことを特徴とする請求項１または２に記載のコンテンツ再生端末。
【請求項７】
コンテンツを記憶するコンテンツ記憶部と、
前記再生対象のコンテンツが放送によって供給されるコンテンツの場合、前記コンテンツの放送時に前記コンテンツを前記コンテンツ記憶部に記録するコンテンツ記録部と、を備える、
ことを特徴とする請求項６に記載のコンテンツ再生端末。
【請求項８】
コンテンツ再生端末からの要求に応じて、端末間で同時に再生するコンテンツ及び前記コンテンツを再生する予定時刻を表す再生予約情報を要求元の前記コンテンツ再生端末に提供し、前記コンテンツ再生端末から受け取った前記再生予約情報を、再生対象のコンテンツ及び前記コンテンツを再生する時刻が一致する再生予約情報毎に記録する再生予約情報記録部を備える、
ことを特徴とするサーバ装置。
【請求項９】
前記再生対象のコンテンツ及び前記予定時刻が一致する前記再生予約情報毎に複数の前記コンテンツ再生端末間でコメントを共有するための接続先を設定する接続先設定部を備える、
ことを特徴とする請求項８に記載のサーバ装置。
【請求項１０】
前記再生予約情報を記憶する再生予約情報記憶部を備え、
前記再生予約情報記録部は、前記コンテンツ再生端末において選択された前記再生対象のコンテンツに対応する再生予約情報を前記再生予約情報記憶部から読み出し、読み出した前記再生予約情報の一覧を前記コンテンツ再生端末に提供する、
ことを特徴とする請求項８または９に記載のサーバ装置。
【請求項１１】
前記再生予約情報を記憶する再生予約情報記憶部を備え、
前記再生予約情報記録部は、前記コンテンツ再生端末からの要求に従って前記再生予約情報記憶部に記録された前記再生予約情報の一覧を前記コンテンツ再生端末に提供する、
ことを特徴とする請求項８または９に記載のサーバ装置。
【請求項１２】
前記再生予約情報記憶部は、同じ前記再生予約情報を記録した人数を表す人数情報を前記再生予約情報とともに記憶する、
ことを特徴とする請求項１０または１１に記載のサーバ装置。
【請求項１３】
コンテンツを再生するコンテンツ再生端末と、前記コンテンツ再生端末と通信を行うサーバ装置とを備えたコンテンツ再生システムであって、
前記コンテンツ再生端末は、
端末間で同時に再生するコンテンツ及び前記コンテンツを再生する予定時刻を表す再生予約情報が記録された前記サーバ装置と通信を行い、前記サーバ装置に記録された前記再生予約情報に基づいて、再生対象のコンテンツを再生する予定時刻を設定する再生予約設定部と、
前記再生予約設定部により設定された前記再生対象のコンテンツ及び前記コンテンツを再生する予定時刻を表す再生予約情報を前記サーバ装置に送信する再生予約情報送信部と、
前記再生予約設定部により設定された前記予定時刻に基づいて、前記再生対象のコンテンツを再生する再生制御部と、を備え、
前記サーバ装置は、
前記コンテンツ再生端末からの要求に応じて、端末間で同時に再生するコンテンツ及び前記コンテンツを再生する予定時刻を表す再生予約情報を要求元の前記コンテンツ再生端末に提供し、前記コンテンツ再生端末から受け取った前記再生予約情報を、前記再生対象のコンテンツ及び前記コンテンツを再生する時刻が一致する再生予約情報毎に記録する再生予約情報記録部を備える、
ことを特徴とするコンテンツ再生システム。
【請求項１４】
コンテンツを再生するコンテンツ再生端末と、前記コンテンツ再生端末と通信を行うサーバ装置とを用いたコンテンツ再生方法であって、
前記コンテンツ再生端末が、端末間で同時に再生するコンテンツ及び前記コンテンツを再生する予定時刻を表す再生予約情報が記録されたサーバ装置と通信を行い、前記サーバ装置に記録された前記再生予約情報に基づいて、再生対象のコンテンツを再生する予定時刻を設定する再生予約設定ステップと、
前記コンテンツ再生端末が、前記再生予約設定ステップで設定された前記再生対象のコンテンツ及び前記コンテンツを再生する予定時刻を表す再生予約情報を前記サーバ装置に送信する再生予約情報送信ステップと、
前記コンテンツ再生端末が、前記再生予約設定ステップで設定された前記予定時刻に基づいて、前記再生対象のコンテンツを再生する再生制御ステップと、
前記サーバ装置が、前記コンテンツ再生端末からの要求に応じて、端末間で同時に再生するコンテンツ及び前記コンテンツを再生する予定時刻を表す再生予約情報を要求元の前記コンテンツ再生端末に提供し、前記コンテンツ再生端末から受け取った前記再生予約情報を、前記再生対象のコンテンツ及び前記コンテンツを再生する時刻が一致する再生予約情報毎に記録する再生予約情報記録ステップとを有する、
ことを特徴とするコンテンツ再生方法。
【請求項１５】
コンピュータを、
端末間で同時に再生するコンテンツ及び前記コンテンツを再生する予定時刻を表す再生予約情報が記録されたサーバ装置と通信を行い、前記サーバ装置に記録された前記再生予約情報に基づいて、再生対象のコンテンツを再生する予定時刻を設定する再生予約設定部、
前記再生予約設定部により設定された前記再生対象のコンテンツ及び前記コンテンツを再生する予定時刻を表す再生予約情報を前記サーバ装置に送信する再生予約情報送信部、
前記再生予約設定部により設定された前記予定時刻に基づいて、前記再生対象のコンテンツを再生する再生制御部、として機能させる、
ことを特徴とするプログラム。
【請求項１６】
コンピュータを、
コンテンツ再生端末からの要求に応じて、端末間で同時に再生するコンテンツ及び前記コンテンツを再生する予定時刻を表す再生予約情報を要求元の前記コンテンツ再生端末に提供し、前記コンテンツ再生端末から受け取った前記再生予約情報を、前記再生対象のコンテンツ及び前記コンテンツを再生する時刻が一致する再生予約情報毎に記録する再生予約情報記録部、として機能させる、
ことを特徴とするプログラム。
【発明の詳細な説明】
【技術分野】
【０００１】
本発明は、コンテンツ再生端末、サーバ装置、コンテンツ再生システム、コンテンツ再生方法及びプログラムに関する。
【背景技術】
【０００２】
ニュース、ドラマ、音楽等の様々な放送番組コンテンツの録画予約を行う情報（録画予約情報）を、事前に登録された複数のコンテンツ再生端末により構成されるグループ内で共有するシステムが特許文献１に開示されている。
【０００３】
このシステムでは、グループ内で共有される録画予約情報によって、各コンテンツ再生端末に同一の放送番組コンテンツが記録される。また、このシステムでは、グループ内の一のコンテンツ再生端末が記録済みの放送番組コンテンツを再生するとき、そのコンテンツ再生端末は、他のコンテンツ再生端末との間で同期処理を行い、各コンテンツ再生端末は、同じ放送番組コンテンツを同時に再生する。これにより、グループに属する各ユーザは、同一コンテンツを同時に視聴することができる。
【先行技術文献】
【特許文献】
【０００４】
【特許文献１】特開２０１０−６２９６３号公報
【発明の概要】
【発明が解決しようとする課題】
【０００５】
しかしながら、特許文献１に開示されたシステムでは、いつ、どのコンテンツが再生されるのかをユーザ間で決定して把握しておかなければならず、複数のユーザが同一コンテンツを同時に視聴するための作業が繁雑で使い勝手が悪いという問題があった。
【０００６】
本発明は、このような問題に鑑みてなされたものであり、比較的に簡単な作業により複数のユーザが同一コンテンツを同時に視聴できる、コンテンツ再生端末、サーバ装置、コンテンツ再生システム、コンテンツ再生方法及びプログラムを提供することを目的とする。
【課題を解決するための手段】
【０００７】
本発明の第１の観点に係るコンテンツ再生端末は、
端末間で同時に再生するコンテンツ及び前記コンテンツを再生する予定時刻を表す再生予約情報が記録されたサーバ装置と通信を行い、前記サーバ装置に記録された前記再生予約情報に基づいて、再生対象のコンテンツを再生する予定時刻を設定する再生予約設定部と、
前記再生予約設定部により設定された前記再生対象のコンテンツ及び前記コンテンツを再生する予定時刻を表す再生予約情報を前記サーバ装置に送信する再生予約情報送信部と、
前記再生予約設定部により設定された前記予定時刻に基づいて、前記再生対象のコンテンツを再生する再生制御部と、を備えることを特徴とする。
【０００８】
また、コンテンツ再生端末は、前記再生予約設定部により設定された前記予定時刻に基づいて、他の端末との間でコメントを共有するための接続先に接続する通信制御部をさらに備えても良い。
【０００９】
さらに、コンテンツ再生端末は、前記コンテンツを記憶するコンテンツ記憶部を備え、前記再生予約設定部は、前記コンテンツ記憶部に記録されたコンテンツの中から前記再生対象のコンテンツの選択を受け付けても良い。
【００１０】
また、コンテンツ再生端末において、前記再生予約設定部は、前記サーバ装置に前記再生対象のコンテンツに対応する再生予約情報を問い合わせ、前記サーバ装置から前記問い合わせの結果として受け取る前記予定時刻の候補の中から時刻の選択を受け付け、選択された時刻を前記予定時刻として設定しても良い。
【００１１】
さらに、コンテンツ再生端末において、前記再生予約設定部は、前記予定時刻の候補以外の時刻の設定を受け付け、受け付けた時刻を前記予定時刻として設定しても良い。
【００１２】
また、コンテンツ再生端末において、前記再生予約設定部は、前記サーバ装置に記録された再生予約情報の一覧から前記再生対象のコンテンツ及び前記コンテンツを再生する予定時刻の選択を受け付け、選択された前記再生対象のコンテンツ及び前記コンテンツを再生する予定時刻を設定しても良い。
【００１３】
また、コンテンツ再生端末は、コンテンツを記憶するコンテンツ記憶部と、前記再生対象のコンテンツが放送によって供給されるコンテンツの場合、前記コンテンツの放送時に前記コンテンツを前記コンテンツ記憶部に記録するコンテンツ記録部と、を備えても良い。
【００１４】
本発明の第２の観点に係るサーバ装置は、
コンテンツ再生端末からの要求に応じて、端末間で同時に再生するコンテンツ及び前記コンテンツを再生する予定時刻を表す再生予約情報を要求元の前記コンテンツ再生端末に提供し、前記コンテンツ再生端末から受け取った前記再生予約情報を、再生対象のコンテンツ及び前記コンテンツを再生する時刻が一致する再生予約情報毎に記録する再生予約情報記録部を備えることを特徴とする。
【００１５】
また、サーバ装置は、前記再生対象のコンテンツ及び前記予定時刻が一致する前記再生予約情報毎に複数の前記コンテンツ再生端末間でコメントを共有するための接続先を設定する接続先設定部を備えても良い。
【００１６】
さらに、サーバ装置は、前記再生予約情報を記憶する再生予約情報記憶部を備え、前記再生予約情報記録部は、前記コンテンツ再生端末において選択された前記再生対象のコンテンツに対応する再生予約情報を前記再生予約情報記憶部から読み出し、読み出した前記再生予約情報の一覧を前記コンテンツ再生端末に提供しても良い。
【００１７】
また、サーバ装置は、前記再生予約情報を記憶する再生予約情報記憶部を備え、前記再生予約情報記録部は、前記コンテンツ再生端末からの要求に従って前記再生予約情報記憶部に記録された前記再生予約情報の一覧を前記コンテンツ再生端末に提供しても良い。
【００１８】
さらに、サーバ装置は、前記再生予約情報記憶部は、同じ前記再生予約情報を記録した人数を表す人数情報を前記再生予約情報とともに記憶しても良い。
【００１９】
本発明の第３の観点に係るコンテンツ再生システムは、
コンテンツを再生するコンテンツ再生端末と、前記コンテンツ再生端末と通信を行うサーバ装置とを備えたコンテンツ再生システムであって、
前記コンテンツ再生端末は、
端末間で同時に再生するコンテンツ及び前記コンテンツを再生する予定時刻を表す再生予約情報が記録された前記サーバ装置と通信を行い、前記サーバ装置に記録された前記再生予約情報に基づいて、再生対象のコンテンツを再生する予定時刻を設定する再生予約設定部と、
前記再生予約設定部により設定された前記再生対象のコンテンツ及び前記コンテンツを再生する予定時刻を表す再生予約情報を前記サーバ装置に送信する再生予約情報送信部と、
前記再生予約設定部により設定された前記予定時刻に基づいて、前記再生対象のコンテンツを再生する再生制御部と、を備え、
前記サーバ装置は、
前記コンテンツ再生端末からの要求に応じて、端末間で同時に再生するコンテンツ及び前記コンテンツを再生する予定時刻を表す再生予約情報を要求元の前記コンテンツ再生端末に提供し、前記コンテンツ再生端末から受け取った前記再生予約情報を、前記再生対象のコンテンツ及び前記コンテンツを再生する時刻が一致する再生予約情報毎に記録する再生予約情報記録部を備えることを特徴とする。
【００２０】
本発明の第４の観点に係るコンテンツ再生方法は、
コンテンツを再生するコンテンツ再生端末と、前記コンテンツ再生端末と通信を行うサーバ装置とを用いたコンテンツ再生方法であって、
前記コンテンツ再生端末が、端末間で同時に再生するコンテンツ及び前記コンテンツを再生する予定時刻を表す再生予約情報が記録されたサーバ装置と通信を行い、前記サーバ装置に記録された前記再生予約情報に基づいて、再生対象のコンテンツを再生する予定時刻を設定する再生予約設定ステップと、
前記コンテンツ再生端末が、前記再生予約設定ステップで設定された前記再生対象のコンテンツ及び前記コンテンツを再生する予定時刻を表す再生予約情報を前記サーバ装置に送信する再生予約情報送信ステップと、
前記コンテンツ再生端末が、前記再生予約設定ステップで設定された前記予定時刻に基づいて、前記再生対象のコンテンツを再生する再生制御ステップと、
前記サーバ装置が、前記コンテンツ再生端末からの要求に応じて、端末間で同時に再生するコンテンツ及び前記コンテンツを再生する予定時刻を表す再生予約情報を要求元の前記コンテンツ再生端末に提供し、前記コンテンツ再生端末から受け取った前記再生予約情報を、前記再生対象のコンテンツ及び前記コンテンツを再生する時刻が一致する再生予約情報毎に記録する再生予約情報記録ステップとを有することを特徴とする。
【００２１】
本発明の第５の観点に係るプログラムは、
コンピュータを、
端末間で同時に再生するコンテンツ及び前記コンテンツを再生する予定時刻を表す再生予約情報が記録されたサーバ装置と通信を行い、前記サーバ装置に記録された前記再生予約情報に基づいて、再生対象のコンテンツを再生する予定時刻を設定する再生予約設定部、
前記再生予約設定部により設定された前記再生対象のコンテンツ及び前記コンテンツを再生する予定時刻を表す再生予約情報を前記サーバ装置に送信する再生予約情報送信部、
前記再生予約設定部により設定された前記予定時刻に基づいて、前記再生対象のコンテンツを再生する再生制御部、として機能させることを特徴とする。
【００２２】
本発明の第６の観点に係るプログラムは、
コンピュータを、
コンテンツ再生端末からの要求に応じて、端末間で同時に再生するコンテンツ及び前記コンテンツを再生する予定時刻を表す再生予約情報を要求元の前記コンテンツ再生端末に提供し、前記コンテンツ再生端末から受け取った前記再生予約情報を、前記再生対象のコンテンツ及び前記コンテンツを再生する時刻が一致する再生予約情報毎に記録する再生予約情報記録部、として機能させることを特徴とする。
【発明の効果】
【００２３】
本発明によれば、比較的に簡単な作業により複数のユーザが同一コンテンツを同時に視聴できる。
【図面の簡単な説明】
【００２４】
【図１】本発明の第１及び第２の実施形態に係るコンテンツ再生システムの構成を示す図である。
【図２】本発明の第１の実施形態に係るコンテンツ再生端末の構成を示すブロック図である。
【図３】図２に示したコンテンツ再生端末が記憶するコンテンツの属性情報の構成を示す図である。
【図４】図２に示したコンテンツ再生端末が記憶する再生予約情報の構成を示す図である。
【図５】本発明の第１の実施形態に係るサーバ装置の構成を示すブロック図である。
【図６】図５に示したサーバ装置が記憶する再生予約情報と人数情報との対応関係を示す図である。
【図７】本発明の第１の実施形態に係るコンテンツ再生端末が行う再生予約情報問い合わせ処理のフローチャートである。
【図８】本発明の第１の実施形態に係るサーバ装置が行う再生予約情報検索処理のフローチャートである。
【図９】本発明の第１の実施形態に係るコンテンツ再生端末が行う再生予約情報登録処理のフローチャートである。
【図１０】本発明の第１の実施形態に係るサーバ装置が行う再生予約情報記録処理のフローチャートである。
【図１１】本発明の第１の実施形態に係るコンテンツ再生端末が行う再生制御処理のフローチャートを示す図である。
【図１２】再生対象のコンテンツを再生する予定時刻の候補の表示例を示す図である。
【図１３】再生予定時刻を設定する画面の表示例を示す図である。
【図１４】再生予約情報が登録されていない場合の表示例を示す図である。
【図１５】再生予約情報の一覧の表示例を示す図である。
【図１６】本発明の第１の実施形態の変形例に係る再生予約情報の一覧の表示例を示す図である。
【図１７】本発明の第２の実施形態に係るコンテンツ再生端末の構成を示すブロック図である。
【図１８】図１７に示したコンテンツ再生端末が記憶する再生予約情報と接続先情報との対応関係を示す図である。
【図１９】本発明の第２の実施形態に係るサーバ装置の構成を示すブロック図である。
【図２０】図１９に示したサーバ装置が記憶するコメントの構成を示す図である。
【図２１】本発明の第２の実施形態に係るコンテンツ再生端末が行う再生制御処理のフローチャートである。
【図２２】本発明の第２の実施形態に係るサーバ装置が行うコメント共有処理のフローチャートである。
【図２３】（ａ）は、再生表示領域とコメント表示領域とを区分けした表示例を示す図である。（ｂ）は、再生表示領域とコメント表示領域とを重畳させた表示例を示す図である。
【図２４】本発明の変形例に係るコンテンツ再生端末の構成を示すブロック図である。
【発明を実施するための形態】
【００２５】
（実施形態１）
以下、本発明の第１の実施形態について図面を参照して説明する。はじめに、図１を参照して、本実施形態に係るコンテンツ再生システム１の構成を説明する。
【００２６】
コンテンツ再生システム１は、コンテンツ再生端末１０（１０１〜１０ｎ）と、サーバ装置２０とを備える。コンテンツ再生端末１０１〜１０ｎ及びサーバ装置２０は、ネットワークＮを介して通信を行う。ネットワークＮは、例えばインターネットであり、インターネットへの接続手段は、有線および無線の何れでも良い。また、コンテンツは、放送局ＢＳから放送されるニュース、ドラマ、音楽等の放送番組コンテンツ（以下、コンテンツという）である。
【００２７】
コンテンツ再生端末１０（１０１〜１０ｎ）は、放送局ＢＳから放送されたコンテンツを記録し、記録されたコンテンツを再生する端末である。コンテンツ再生端末１０は、例えばＨＤＤ（Hard Disk Drive）レコーダや録画機能付きテレビ、ＰＣ（Personal Computer）などの各種ネットワーク対応端末である。コンテンツ再生端末１０は、再生対象として選択されたコンテンツを、設定された時刻に再生する機能（再生予約機能）を有する。
【００２８】
サーバ装置２０は、各コンテンツ再生端末１０１〜１０ｎにおいて再生予約されたコンテンツ（再生対象のコンテンツ）及びそのコンテンツを再生する予定時刻を表す再生予約情報の登録を受け付ける。サーバ装置２０は、受け付けた再生予約情報を、同じ再生予約情報（再生対象のコンテンツ及びコンテンツを再生する予定時刻が一致する情報）を登録した人数を表す人数情報とともに記憶する。
【００２９】
各コンテンツ再生端末１０１〜１０ｎは、コンテンツの再生予約を行う際に、同じコンテンツの再生予約が他のコンテンツ再生端末１０１〜１０ｎによってされていないかサーバ装置２０に問い合わせる。各コンテンツ再生端末１０１〜１０ｎは、そのコンテンツについて再生予約がされた時刻の候補をサーバ装置２０から取得すると、その時刻の候補からコンテンツを再生する時刻を選択する操作を受け付ける。これにより、同じコンテンツを同じ時刻に再生予約した各コンテンツ再生端末１０は、再生予約された時刻に同じコンテンツを同時に再生（同時再生）できる。
【００３０】
図１に示したコンテンツ再生端末１０（１０１〜１０ｎ）の構成について、図２を参照して説明する。コンテンツ再生端末１０は、制御部１１と、記憶部１２と、放送受信部１３と、操作部１４と、表示部１５と、サーバ通信部１６とを備える。
【００３１】
制御部１１は、例えば、ＣＰＵ(Central Processing Unit)、ＣＰＵのメインメモリとして機能するＲＡＭ（Random Access Memory）、タイマ等によって構成される。なお、制御部１１は、一部がＡＳＩＣ（Application Specific Integrated Circuit）等の専用回路から構成されてもよい。制御部１１は、コンテンツ再生端末１０全体を制御する。制御部１１は、記憶部１２に記録されたプログラムを実行することにより、再生予約設定部１１ａ、再生予約情報送信部１１ｂ、再生制御部１１ｃとして機能する。各部１１ａ〜１１ｃは、後述の各種処理を行う。
【００３２】
記憶部１２は、例えば、ＲＯＭ（Read Only Memory）やフラッシュメモリ、ＨＤＤ等の記憶装置によって構成される。記憶部１２は、制御部１１が各種処理を行うために使用する各種プログラム及びデータ、制御部１１が各種処理を行うことにより生成又は取得した各種データ、放送を受信することによって得られたコンテンツ等を記憶する。記憶部１２は、プログラム記憶部１２ａと、コンテンツ記憶部１２ｂと、再生予約情報記憶部１２ｃとを備える。
【００３３】
プログラム記憶部１２ａは、各種プログラムを記憶する。プログラム記憶部１２ａには、制御部１１の実行によって、制御部１１を、再生予約設定部１１ａ、再生予約情報送信部１１ｂ、再生制御部１１ｃとして機能させるプログラムが記録されている。
【００３４】
コンテンツ記憶部１２ｂは、放送局ＢＳから放送されたコンテンツを記憶する。このコンテンツは、放送前に録画予約または放送中に録画指示がされることにより、コンテンツ記憶部１２ｂに記録される。コンテンツは、コンテンツの実体であるメディアデータとコンテンツの属性情報とを有する。コンテンツの属性情報は、例えば図３に示すように、コンテンツのＩＤ、コンテンツのタイトル、コンテンツの放送時間（放送開始日時、放送終了日時）、コンテンツが属するジャンル、出演者等の属性を有する。
【００３５】
再生予約情報記憶部１２ｃは、再生予約情報を記憶する。再生予約情報は、例えば図４に示すように、ユーザによって選択された再生対象のコンテンツの属性情報（ＩＤ、タイトル、放送時間、ジャンル、出演者等）と、そのコンテンツを再生する時刻（再生予定時刻）を表す情報とを有する。再生対象のコンテンツは、コンテンツ記憶部１２ｂに記録されたコンテンツの中から選択される。
【００３６】
放送受信部１３は、アンテナ、チューナ、放送信号処理部から構成される。放送信号処理部は、制御部１１の制御のもと、放送局ＢＳからの放送信号から各種情報（コンテンツ、放送番組情報（ＥＰＧ：Electric Program Guide）等）を抽出する。放送受信部１３によって抽出された各種情報は、制御部１１の制御によって、表示部１５に表示され、また記憶部１２に記憶される。
【００３７】
操作部１４は、コンテンツ再生端末１０に各種指示を与え、また文字等の入力操作を行うユーザインタフェース装置（操作ボタン、リモコン装置等）から構成される。操作部１４は、ユーザの各種操作を受け付け、受け付けた各種操作にそれぞれ対応する操作信号を制御部１１に供給する。
【００３８】
表示部１５は、例えば、液晶表示装置、有機ＥＬ(Electro Luminescence)表示装置等から構成される。表示部１５は、制御部１１から供給される各種画像データ（メディアデータ）に基づいて各種画像を出力する。なお、表示部１５は、コンテンツ再生端末１０内部に設けられても、コンテンツ再生端末１０外部に設けられてもよい。
【００３９】
なお、操作部１４と表示部１５とは、タッチパネルから構成されても良い。タッチパネルは、所定の操作を受け付ける画面を表示すると共に、ユーザが画面に接触した位置に対応する操作信号を制御部１１に供給する。
【００４０】
サーバ通信部１６は、例えば、ネットワークアダプタ等の通信インタフェース装置から構成される。サーバ通信部１６は、制御部１１の制御のもと、サーバ装置２０との間で通信を行う。なお、サーバ通信部１６は、サーバ装置２０以外のネットワーク内機器とも通信可能である。
【００４１】
次に、図１に示したサーバ装置２０の構成について、図５を参照して説明する。サーバ装置２０は、制御部２１と、記憶部２２と、端末通信部２３とを備える。
【００４２】
制御部２１は、例えば、ＣＰＵ、ＣＰＵのメインメモリとして機能するＲＡＭ、タイマ等から構成される。なお、制御部２１は、一部がＡＳＩＣ等の専用回路から構成されてもよい。制御部２１は、サーバ装置２０全体を制御する。また、制御部２１は、記憶部２２に記録されたプログラムを実行することにより、再生予約情報記録部２１ａとして機能する。再生予約情報記録部２１ａは、後述の各種処理を行う。
【００４３】
記憶部２２は、例えば、ＲＯＭやフラッシュメモリ、ＨＤＤ等の記憶装置から構成される。記憶部２２は、制御部２１が各種処理を行うために使用する各種プログラム及びデータ、制御部２１が各種処理を行うことにより生成又は取得した各種データを記憶する。また、記憶部２２は、プログラム記憶部２２ａと、再生予約情報記憶部２２ｂとを備える。
【００４４】
プログラム記憶部２２ａは、各種プログラムを記憶する。プログラム記憶部２２ａには、制御部２１の実行によって、制御部２１を、再生予約情報記録部２１ａとして機能させるプログラムが記録されている。
【００４５】
再生予約情報記憶部２２ｂは、再生予約情報記録部２１ａにより取得された再生予約情報を記憶する。再生予約情報記憶部２２ｂは、例えば図６に示すように、同じ再生予約情報（再生対象のコンテンツ及び再生予定時刻が一致する情報）を登録した人数を表す人数情報を、その再生予約情報とともに記憶する。
【００４６】
端末通信部２３は、例えば、ネットワークアダプタ等の通信インタフェース装置から構成される。端末通信部２３は、制御部２１の制御のもと、コンテンツ再生端末１０との間で通信を行う。なお、端末通信部２３は、コンテンツ再生端末１０以外のネットワーク内機器とも通信可能である。
【００４７】
次に、上記構成を備えるコンテンツ再生端末１０及びサーバ装置２０の動作を説明する。
【００４８】
コンテンツ再生端末１０の電源が投入されると、制御部１１は、プログラム記憶部１２ａからプログラムを読み出して実行する。これにより、制御部１１は、再生予約設定部１１ａ、再生予約情報送信部１１ｂ、再生制御部１１ｃとして機能する。
各部１１ａ〜１１ｃは、電源がオフになるまで、以下の各種処理を行う。
（１）同時再生対象のコンテンツの選択を受け付け、選択されたコンテンツを表す再生予約情報をサーバ装置２０に問い合わせる再生予約情報問い合わせ処理。
（２）同時再生対象のコンテンツを再生する予定時刻の設定を受け付け、設定された同時再生対象のコンテンツ及びその再生予約時刻を表す再生予約情報をサーバ装置２０に登録する再生予約情報登録処理。
（３）再生予約情報により表される再生予定時刻の到来に従って、コンテンツの再生を行う再生制御処理。
【００４９】
一方、サーバ装置２０の電源が投入されると、制御部２１は、プログラム記憶部２２ａからプログラムを読み出して実行する。これにより、制御部２１は、再生予約情報記録部２１ａとして機能する。
【００５０】
再生予約情報記録部２１ａは、電源がオフになるまで、以下の各種処理を行う。
（１）コンテンツ再生端末１０からの問い合わせに応じて、コンテンツ再生端末１０で選択されたコンテンツを表す再生予約情報を検索する再生予約情報検索処理。
（２）コンテンツ再生端末１０から送信された再生予約情報を受け取り、受け取った再生予約情報を記録する再生予約情報記録処理。
【００５１】
図７を参照して、コンテンツ再生端末１０が行う再生予約情報問い合わせ処理を説明する。
【００５２】
不特定多数の人と同時に視聴するコンテンツの再生予約を行う場合、ユーザは操作部１４を用いてコンテンツの一覧を表示する操作を行う。この操作がされた場合（ステップＳ１１１；ＹＥＳ）、再生予約設定部１１ａは、コンテンツ記憶部１２ｂに記録されたコンテンツの一覧を表示部１４に表示する（ステップＳ１１２）。例えば図３に示すコンテンツの属性情報（ＩＤ、タイトル、放送時間、ジャンル、出演者等）がコンテンツ毎に表示される。
【００５３】
再生予約設定部１１ａは、表示されたコンテンツの一覧から再生対象のコンテンツが選択されたか否かを判別し（ステップＳ１１３）、ユーザによる操作部１４の操作に基づいて、再生対象のコンテンツが選択されるまで待機する（ステップＳ１１３；ＮＯ）。ここでは２０１１年１１月１４日の１９：００に放送された番組Ｊのコンテンツが選択されたものとする。再生予約設定部１１ａは、再生対象のコンテンツが選択されたと判別した場合（ステップＳ１１３：ＹＥＳ）、選択されたコンテンツに対応する再生予約情報がサーバ装置２０に記録されているかについて、その選択されたコンテンツの属性情報とともにサーバ装置２０に問い合わせる（ステップＳ１１４）。以上により、コンテンツ再生端末１０が行う再生予約情報問い合わせ処理は終了する。
【００５４】
次に図８を参照して、サーバ装置２０が行う再生予約情報検索処理を説明する。
【００５５】
再生予約情報記録部２１ａは、コンテンツ再生端末１０から再生予約情報の問い合わせがあったか否かを判別し（ステップＳ２１１）、問い合わせがあるまで待機する（ステップＳ２１１；ＮＯ）。再生予約情報記録部２１ａは、再生予約情報の問い合わせがあったと判別した場合（ステップＳ２１１；ＹＥＳ）、コンテンツ再生端末１０から問い合わせとともに送信されたコンテンツの属性情報に基づいて、再生対象のコンテンツを表す再生予約情報を検索する（ステップＳ２１２）。
【００５６】
再生予約情報記録部２１ａは、コンテンツ再生端末１０から送信されたコンテンツの属性情報を有する再生予約情報が再生予約情報記憶部２２ｂに記録されていた場合（ステップＳ２１２；ＹＥＳ）、その再生予約情報の一覧をコンテンツ再生端末１０に送信する（ステップＳ２１３）。前述の２０１１年１１月１４日の１９：００に放送された番組Ｊのコンテンツを表す再生予約情報が再生予約情報記憶部２２ｂに記録されていた場合、再生予約情報記録部２１ａは、そのコンテンツの属性情報を有する全ての再生予約情報を再生予約情報記憶部２２ｂから読み出し、これをコンテンツ再生端末１０に送信する。
【００５７】
一方、再生予約情報記録部２１ａは、コンテンツ再生端末１０から送信されたコンテンツの属性情報を有する再生予約情報が再生予約情報記憶部２２ｂに記録されていなかった場合（ステップＳ２１２；ＮＯ）、再生予約情報が登録されていない旨を検索結果としてコンテンツ再生端末１０に送信する（ステップＳ２１４）。以上により、サーバ装置２０が行う再生予約情報検索処理は終了する。
【００５８】
次に図９を参照して、コンテンツ再生端末１０が行う再生予約情報登録処理を説明する。
【００５９】
再生予約設定部１１ａは、前述の再生予約情報の問い合わせ結果をサーバ装置２０から受け取ったか否かを判別し（ステップＳ１２１）、問い合わせ結果を受け取るまで待機する（ステップＳ１２１；ＮＯ）。再生予約設定部１１ａは、問い合わせ結果を受け取ったと判別した場合（ステップＳ１２１；ＹＥＳ）、これを表示部１５に表示する（ステップＳ１２２）。その後、再生予約設定部１１ａは、同時再生対象のコンテンツを再生する予定時刻が設定されたか否かを判別し（ステップＳ１２３）、再生予定時刻が設定されたと判別されるまで待機する（ステップＳ１２３；ＮＯ）。
【００６０】
例えば、前述の２０１１年１１月１４日の１９：００に放送された番組Ｊのコンテンツを表す再生予約情報の一覧をサーバ装置２０から受け取った場合、表示部１５には、図１２に示すように、コンテンツを再生する予定時刻の候補が表示される。この予定時刻の候補は、選択されたコンテンツについて、他のユーザによって先に設定されたものである。また、表示部１５には、予定時刻とともに同じ再生予約を行った人数が表示される。これにより、ユーザは、自身が選択したコンテンツを同時に再生する時刻の候補と、それぞれの時刻に再生を予定している人数とを確認できる。さらに、表示部１５には、予定時刻の候補の他、再生予定時刻を新規に登録する項目も表示される。つまり、再生予定時刻の設定は、表示部１５に表示された再生予定時刻の候補からの選択またはユーザ自身が新規に時刻を登録することにより行われる。
【００６１】
ユーザによる操作部１４の操作に基づいて、再生予定時刻を新規に登録する項目が選択された場合、図１３に示すように、月、日、時、分を選択する画面が表示部１５に表示される。ユーザは、この画面を見ながら操作部１４を操作して、選択したコンテンツを再生する予定時刻を新規に設定する。例えば、ここでは、再生予定時刻が２０１１年１１月１６日１９：００に設定されている。また、コンテンツ記憶部１２ｂに記録されたコンテンツの再生予定時刻は、現在日時以降の時刻が設定されるものとする。
【００６２】
再生予約設定部１１ａは、ユーザによる操作部１４の操作に基づいて、再生予定時刻が設定されたと判別した場合（ステップＳ１２３；ＹＥＳ）、前述の同時再生対象のコンテンツの属性情報に、設定された再生予定時刻（ここでは２０１１年１１月１６日１９：００）を付加することにより再生予約情報を生成する。再生予約設定部１１ａは、生成した再生予約情報を再生予約情報記憶部１２ｃに記録する（ステップＳ１２４）。また、このとき、再生予約設定部１１ａは、図１５に示すように、新たに設定された同時再生対象のコンテンツの再生予定時刻を、既に設定された同時再生対象のコンテンツの再生予定時刻とともに表示部１５に表示しても良い。その後、再生予約情報送信部１１ｂは、再生予約設定部１１ａにより生成された再生予約情報をサーバ装置２０に送信する（ステップＳ１２５）。なお、再生予約情報の一覧は、ユーザが要求する任意のタイミングで表示部１５に表示しても良い。
【００６３】
他方、再生予約設定部１１ａは、ステップＳ１２２において、再生予約情報が登録されていない旨を問い合わせ結果として受け取った場合、図１４に示すように、選択したコンテンツの再生予定時刻が未だ登録されていない旨のメッセージ、再生予約情報の登録の有無を選択させる項目を表示部１５に表示する。ユーザによる操作部１４の操作に基づいて、再生予定時刻の登録を行う項目（図１４に示すＹＥＳの項目）が選択されると、再生予約設定部１１ａは、上記と同様にして、再生予定時刻を新規に登録する画面を表示部１５に表示し、ユーザによる操作部１４の操作に基づいて、選択されたコンテンツを再生する予定時刻を新規に設定し、設定した予定時刻を表す再生予約情報を生成、記録する（ステップＳ１２４）。その後、再生予約情報送信部１１ｂは、再生予約設定部１１ａにより生成された再生予約情報をサーバ装置２０に送信する（ステップＳ１２５）。以上により、コンテンツ再生端末１０が行う再生予約情報登録処理は終了する。
【００６４】
次に図１０を参照して、サーバ装置２０が行う再生予約情報記録処理を説明する。
【００６５】
再生予約情報記録部２１ａは、前述の再生予約情報をコンテンツ再生端末１０から受け取ったか否かを判別し（ステップＳ２２１）、再生予約情報を受け取るまで待機する（ステップＳ２２１；ＮＯ）。再生予約情報記録部２１ａは、再生予約情報を受け取ったと判別した場合（ステップＳ２２１；ＹＥＳ）、これと同じ再生予約情報（再生対象のコンテンツ及び再生予定時刻が一致する情報）が再生予約情報記憶部２２ｂに記録されているか否かを判別する（ステップＳ２２２）。同じ再生予約情報が再生予約情報記憶部２２ｂに記録されていた場合（ステップＳ２２２；ＹＥＳ）、再生予約情報記録部２１ａは、その再生予約情報とともに記録されている人数情報により表される参加人数を１増加して人数情報を変更する（ステップＳ２２３）。これにより、再生予約情報記録部２１ａは、再生予約情報記憶部２２ｂを更新する。
【００６６】
一方、同じ再生予約情報が再生予約情報記憶部２２ｂに記録されていない場合（ステップＳ２２２；ＮＯ）、再生予約情報記録部２１ａは、その再生予約情報と初期の参加人数（１人）を表す人数情報とを対応付けて再生予約情報記憶部２２ｂに新規に記録することにより再生予約情報記憶部２２ｂを更新する（ステップＳ２２４）。以上により、サーバ装置２０が行う再生予約情報記録処理は終了する。
【００６７】
次に図１１を参照して、コンテンツ再生端末１０が行う再生制御処理を説明する。
【００６８】
再生制御部１１ｃは、再生予約情報記憶部１２ｃに記録された再生予約情報のうち、再生予定時刻が到来した再生予約情報があるか否かを、現在日時を基に判別する（ステップＳ１３１）。再生制御部１１ｃは、再生予定時刻が到来した再生予約情報があると判別するまで待機し（ステップＳ１３１；ＮＯ）、その再生予約情報があると判別した場合は（ステップＳ１３１；ＹＥＳ）、再生予約情報に含まれるコンテンツを識別する情報（コンテンツＩＤ）に基づいて再生対象のコンテンツ（メディアデータ）をコンテンツ記憶部１２ｂから読み出し、そのコンテンツの再生を開始する（ステップＳ１３２）。これにより、同じ再生予約情報に基づいてコンテンツの再生予約を行った（再生予約情報を記憶した）各コンテンツ再生端末１０は、同一コンテンツを一斉に再生する。なお、ここでは「番組Ｊ」のコンテンツの再生を開始する。
【００６９】
その後、再生制御部１１ｃは、再生中のコンテンツ（ここでは番組Ｊ）について、所定のタイミングまたは再生予約情報に含まれる放送時間に基づいて再生対象のコンテンツの再生が終了したか否かを判別する（ステップＳ１３３）。再生制御部１１ｃは、コンテンツの再生が終了したと判別するまでコンテンツを再生し続け（ステップＳ１３３；ＮＯ）、コンテンツの再生が終了したと判別した場合（ステップＳ１３３；ＹＥＳ）、再生制御処理を終了する。なお、再生制御部１１ｃは、ユーザによるコンテンツの再生を停止する操作が行われた場合もコンテンツの再生が終了したと判別する。以上により、再生制御処理は終了する。
【００７０】
以上、説明したように、本実施形態に係るコンテンツ再生システム１によれば、比較的に簡単な作業により複数のユーザが同一コンテンツを同時に視聴でき、各ユーザは、同一コンテンツを再生しているという共通の意識を持つことができる。
【００７１】
また、同時再生対象のコンテンツとコンテンツの再生予定時刻の設定手法は、上記実施形態で説明したものに限られない。例えば、再生予約設定部１１ａは、同時再生対象のコンテンツを選択する際に、再生予約情報記憶部２２ｂに記録された再生予約情報の一覧をサーバ装置２０から受け取ることにより、同時再生対象のコンテンツを再生する予定時刻の選択を受け付けても良い。再生予約設定部１１ａは、図１６に示すように、サーバ装置２０の再生予約情報記憶部２２ｂに記録された再生予約情報の一覧を表示部１５に表示し、ユーザによる再生予約情報の選択を受け付ける。再生予約設定部１１ａは、ユーザの操作に従って再生予約情報の一覧から選択された再生予約情報を、再生予約情報記憶部１２ｃに記録するとともにサーバ装置２０へ送信する。このようにして、同時再生対象のコンテンツとコンテンツの再生予定時刻の設定を行っても良い。
【００７２】
なお、再生予約設定部１１ａは、再生予約情報の一覧から選択されたコンテンツがコンテンツ記憶部１２ｂに記録されている場合に限り、そのコンテンツの再生予約を行うようにしても良い。つまり、再生予約設定部１１ａは、再生予約情報の一覧から選択されたコンテンツがコンテンツ記憶部１２ｂに記録されている場合に限り、選択された再生予約情報について、再生予約情報記憶部１２ｃへの記録、サーバ装置２０への送信を行っても良い。
【００７３】
一方、再生予約設定部１１ａは、再生予約情報の一覧から選択されたコンテンツがコンテンツ記憶部１２ｂに記録されていなくても、そのコンテンツの再生予約を行うようにしても良い。つまり、再生予約設定部１１ａは、再生予約情報の一覧から選択されたコンテンツが、コンテンツ記憶部１２ｂに記録されていなくても、再生予定時刻までにコンテンツ記憶部１２ｂに記録されていれば、その再生予定時刻に従って、選択されたコンテンツの再生を行っても良い。
【００７４】
（実施形態２）
以下、本発明の第２の実施形態について図面を参照して説明する。なお、第１の実施形態において説明した構成及び処理と同一のものについては説明を省略する。第２の実施形態に係るコンテンツ再生システム１は、複数のコンテンツ再生端末１０がそれぞれ同一のコンテンツを同時に再生する際に、共通の接続先を介して、各ユーザの間でコメントを共有できるコメント共有サービスを提供する。
【００７５】
コンテンツ再生端末１０は、図１７に示すように、第１の実施形態で説明した構成に加えて、制御部１１に通信制御部１１ｄを備える。通信制御部１１ｄは、制御部１１がプログラム記憶部１２ａに記録されたプログラムを実行することにより機能し、後述の処理を行う。
【００７６】
また、再生予約情報記憶部１２ｃは、図１８に示すように、再生予約情報と接続先情報とを対応付けて記憶する。接続先情報は、サーバ装置２０によって設定される接続先を表すＵＲＬ（Uniform Resource Locator)である。接続先情報は、予め設定された規則に従って生成される。具体的には、接続先情報は、サーバ装置２０のドメインＵＲＬと、コンテンツのタイトルと、コンテンツを再生する時刻とを組み合わせた文字列がＵＲＬ変換（ＵＲＬエンコード）することにより生成される。
【００７７】
また、サーバ装置２０は、図１９に示すように、第１の実施形態で説明した構成に加えて、制御部２１に接続先設定部２１ｂ及びコメント処理部２１ｃを備え、記憶部２２にコメント記憶部２２ｃを備える。
【００７８】
接続先設定部２１ｂ及びコメント処理部２１ｃは、制御部２１がプログラム記憶部２２ａに記録されたプログラムを実行することにより機能し、後述の処理を行う。
【００７９】
コメント記憶部２２ｃは、接続先設定部２１ｂにより設定される接続先、および接続先へのコメントデータ等を記憶する。コメント記憶部２２ｃには、各コンテンツ再生端末１０から送信されるコメントが順次記録される。コメント記憶部２２ｃに記録されたコメントは、例えばｈｔｍｌ（Hyper Text Markup Language）形式の情報として、その一覧が各コンテンツ再生端末１０に提供される。コメントは、例えば、図２０に示すように、コメント情報、投稿時刻情報、ユーザ識別情報から構成される。コメント情報はコメントの文字列（テキスト）である。投稿時刻情報は、コメントが投稿された時刻を表す情報である。ユーザ識別情報は、コメントを投稿したユーザを識別する情報である。ユーザ識別情報には、例えば、コンテンツ再生システム１を利用する際に事前に登録されたユーザＩＤ、コンテンツ再生端末１０を識別する端末ＩＤ等がある。
【００８０】
次に、上記構成を備えるコンテンツ再生端末１０及びサーバ装置２０の動作を説明する。
【００８１】
コンテンツ再生端末１０は、再生予約情報問い合わせ処理、再生予約情報登録処理、及び再生制御処理を行う。再生予約情報問い合わせ処理は、第１の実施形態と同様にして行う。
【００８２】
再生予約情報登録処理では、第１の実施形態と同様に、再生予約設定部１１ａにより再生予約情報の記録を行い、再生予約情報送信部１１ｂにより再生予約情報をサーバ装置２０に送信する処理を行う。その他、再生予約情報送信部１１ｂは、予め設定された規則に従って接続先情報を生成し、これを再生予約情報と対応付けて再生予約情報記憶部１２ｃに記録する。
【００８３】
また、再生制御処理では、第１の実施形態と同様に、再生制御部１１ｃによりコンテンツの再生制御を行う。その他、再生制御処理において再生制御部１１ｃ及び通信制御部１１ｄが行う処理について、図２１を参照して説明する。
【００８４】
再生制御部１１ｃは、第１の実施形態と同様に、再生予約情報記憶部１２ｃに記録された再生予約情報のうち、再生予定時刻が到来したものがあるか否かを判別する（ステップＳ１４１）。通信制御部１１ｄは、再生予定時刻が到来したものがあると判別するまで待機し（ステップＳ１４１；ＮＯ）、あると判別した場合は（ステップＳ１４１；ＹＥＳ）、その再生予約情報に対応付けられた接続先情報（ＵＲＬ）を指定し、サーバ装置２０により設定された接続先に接続する（ステップＳ１４２）。例えば、同時再生対象のコンテンツについて再生予定時刻（２０１１年１１月１６日１９：００）を設定した各コンテンツ再生端末１０は、この時刻の到来に従って、その再生予約情報に対応付けられた接続先情報を指定し、共通の接続先に接続する。
【００８５】
このとき再生制御部１１ｃは、例えば、図２３（ａ）に示すように、再生対象のコンテンツが表示されるコンテンツ再生表示領域、コンテンツ再生端末１０のユーザによって投稿されるコメントを入力するコメント入力領域、各コンテンツ再生端末１０のユーザによって投稿されたコメントの一覧を表示するコメント表示領域等を有する画面（コメント共有画面）を表示部１５に表示して（ステップＳ１４３）、コンテンツの再生を開始する（ステップＳ１４４）。表示部１５の画面には、サーバ装置２０から提供される情報に基づいて、共通の接続先に接続している参加人数を表す参加人数情報が表示される。なお、コンテンツ再生表示領域とコメント表示領域とは、図２３（ｂ）に示すように、重複する態様としても良い。
【００８６】
通信制御部１１ｄは、ユーザが操作部１４を介してコメントを投稿する操作がされた場合に（ステップＳ１４５；ＹＥＳ）、表示部１５に表示されたコメント入力領域に入力されたコメント情報と、投稿時刻情報と、ユーザ識別情報とを含むコメントを接続先に送信する（ステップＳ１４６）。また、通信制御部１１ｄは、接続先にコメント情報が記録されるたびにサーバ装置２０から送信されるコメントの一覧を受け取り、これを表示部１５に表示されたコメント表示領域に表示する。
【００８７】
ユーザによってコメントを投稿する操作がされていない場合（ステップＳ１４５；ＮＯ）、または、ステップＳ１４６において通信制御部１１ｄがコメントを接続先に送信した後、再生制御部１１ｃは、コンテンツの再生が終了したか否かを判別する（ステップＳ１４７）。再生制御部１１ｃは、コンテンツの再生が終了したと判別するまでコンテンツを再生し続け（ステップＳ１４７；ＮＯ）、コンテンツの再生が終了した場合に（ステップＳ１４７；ＹＥＳ）、通信制御部１１ｄは、サーバ装置２０との通信を終了して、サーバ装置２０が提供するコメント共有サービスの利用を終了する。以上により、再生制御処理は終了する。
【００８８】
一方、サーバ装置２０は、再生予約情報検索処理、再生予約情報記録処理、及びコメント共有処理を行う。再生予約情報検索処理は、第１の実施形態と同様にして行う。
【００８９】
再生予約情報記録処理では、第１の実施形態と同様に、再生予約情報記録部２１ａにより、コンテンツ再生端末１０から受信した再生予約情報を再生予約情報記憶部２２ｂに記録する処理を行う。その他、接続先設定部２１ｂは、コンテンツ再生端末１０から受信した再生予約情報と同じ再生予約情報が再生予約情報記憶部２２ｂに記録されていない場合に、新規に記録された再生予約情報に対応する接続先を生成する。
【００９０】
次に、コメント共有処理について、図２２を参照して説明する。コメント処理部２１ｃは、再生予約情報記憶部２２ｂに記録された再生予約情報に基づいて、コンテンツの再生予定時刻が到来したか否かを判別する（ステップＳ２４１）。例えば、再生予約情報記憶部２２ｂには、前述の再生予約情報記録処理により２０１１年１１月１６日１９：００の再生予定時刻を有する再生予約情報が記録されている。よって、コメント処理部２１ｃは、この時刻が到来するまで待機し（ステップＳ２４１；ＮＯ）、この時刻の到来に従って、コンテンツの再生予定時刻が到来したと判別する（ステップＳ２４１；ＹＥＳ）。このとき、コメント処理部２１ｃは、その再生予約情報に対応する接続先へのコメントの投稿（記録）を許可し（ステップＳ２４２）、コメントの投稿及び閲覧を可能とさせる。
【００９１】
その後、コメント処理部２１ｃは、コメントの投稿が許可された接続先に接続した各コンテンツ再生端末１０からコメントが投稿されたか否かを判別する（ステップＳ２４３）。コメント処理部２１ｃは、コメントが投稿されたと判別した場合（ステップＳ２４３；ＹＥＳ）、投稿されたコメントを接続先に順次記録し、記録されたコメントの一覧を各コンテンツ再生端末１０に提供する（ステップＳ２４４）。
【００９２】
コメントが投稿されていない場合（ステップＳ２４３；ＮＯ）、または、ステップＳ２４４の処理後、コメント処理部２１ｃは、その再生予約情報に含まれる放送時間（番組時間）に基づいて、同時再生対象のコンテンツの再生が終了したと判別するまでコメントの受け付け及びコメントの一覧の提供を行い（ステップＳ２４５；ＮＯ）、コンテンツの再生が終了した場合（ステップＳ２４５；ＹＥＳ）、コメント共有処理を終了する。つまり、この場合に、同時再生したコンテンツのコメント共有サービスの提供が終了する。
【００９３】
以上、説明したように、本実施形態に係るコンテンツ再生システム１によれば、
放送時刻等に拘束されることなく、複数のユーザが同一コンテンツを同時に視聴できるとともに、そのコンテンツについてユーザ間でコメントを共有できるので、コンテンツ再生の楽しみが広がる。
【００９４】
また、上記実施形態１及び２では、同時再生対象のコンテンツをコンテンツ記憶部１２ｂに記録されたコンテンツの中から選択する例を説明したが、コンテンツ記憶部１２ｂに記録される前のコンテンツを同時再生対象のコンテンツとして選択しても良い。この場合、図２４に示すように、制御部１１にコンテンツ記録部１１ｅを備え、記憶部１２に放送番組情報記憶部１２ｄを備える。放送番組情報記憶部１２ｄは、放送局ＢＳの放送信号から抽出される放送番組情報（ＥＰＧ：Electric Program Guide）を記録する。コンテンツ記録部１１ｅは、放送番組情報により表される番組表から同時再生対象のコンテンツが選択された場合に、そのコンテンツの録画予約を行う。
【００９５】
具体的には、再生予約設定部１１ａは、コンテンツの再生予約を行う操作がされたときに、放送番組情報記憶部１２ｄに記録された放送番組情報により表される番組表を表示部１５に表示し、番組表から同時再生対象のコンテンツを選択するユーザの操作を受け付ける。また、再生予約設定部１１ａは、上記実施形態と同様に、選択したコンテンツの再生予定時刻を設定する。なお、この場合、コンテンツの再生予定時刻は、コンテンツの放送日時以降の時刻が設定される。
【００９６】
そして、コンテンツ記録部１１ｅは、再生予約情報記憶部１２ｃに記録された再生予約情報により表されるコンテンツの放送時間に基づいて、放送時刻が到来したコンテンツを放送局ＢＳから受信し、受信したコンテンツをコンテンツ記憶部１２ｂに記録する。なお、その他は、上記実施形態と同様、再生制御部１１ｃは、再生予定時刻の到来に従ってコンテンツを再生する。また、実施形態２において通信制御部１１ｄは、再生予定時刻の到来に従って再生予約情報に対応付けられた接続先情報を指定して接続先への接続を行い、接続先に記録されたコメントの一覧を取得する（コメント共有サービスを利用する）。
【００９７】
また、再生予約設定部１１ａは、再生日時の設定について、現在または放送日時からの設定可能な期間や、設定可能な再生時間の単位（３０分、１時間）等の制限を加え、その制限に従って再生日時の設定を受け付けても良い。
【００９８】
また、コンテンツ再生端末１０は、サーバ装置２０の再生予約情報記憶部２２ｂの再生予約情報とともに記録された人数情報を、所定のタイミングで取得し、これを再生予約情報記憶部１２ｃに記録された再生予約情報と対応付けて記録しても良い。人数情報は、再生予約設定部１１ａの制御によって再生予約情報記憶部１２ｄから読み出されて、表示部１５に表示される。これにより、ユーザは、再生対象のコンテンツについて共に視聴する参加者の人数を確認できる。
【００９９】
また、実施形態２において、コンテンツ再生端末１０がコメント共有サービスを利用できる期間は、サーバ装置２０において適宜に設定できる。例えば、コンテンツの再生予定時刻が到来する１０分前から接続先への接続を許可することや、コンテンツの再生が終了した後、３日後に接続先への接続を拒否する等、適宜に設定でき、これを基に、サーバ装置２０のコメント処理部２１ｃは、接続先への接続の可否を判別しても良い。
【０１００】
さらに、接続先情報（ＵＲＬ）は、コンテンツ再生端末１０ではなく、サーバ装置２０の接続先設定部２１ｂによって生成されても良い。再生予約情報記録部２１ａが新規の再生予約情報をコンテンツ再生端末１０から受け取った場合に、接続先設定部２１ｂは、その再生予約情報に対応する接続先を新たに生成すると共に、その接続先を表す接続先情報を生成する。接続先設定部２１ｂは、生成した接続先情報を、再生予約情報記憶部２２ｂに記録された再生予約情報と対応付けて記録する。再生予約情報記録部２１ａは、再生予約情報記憶部２２ｂに記録された再生予約情報をコンテンツ再生端末１０から受け取ったと判別した場合に、その再生予約情報に対応付けられた接続先情報を送信元のコンテンツ再生端末１０に送信する。一方、コンテンツ再生端末１０の再生予約情報送信部１１ｂは、サーバ装置２０から送信された接続先情報を受け取り、これをサーバ装置２０に送信した再生予約情報と対応付けて再生予約情報記憶部１２ｃに記録する。そして、コンテンツ再生端末１０の通信制御部１１ｄは、再生予約情報に含まれる再生予定時刻が到来した場合に、その再生予約情報に対応付けられた接続先情報を指定することにより、サーバ装置２０によって設定された接続先へ接続するようにしても良い。
【０１０１】
また、サーバ装置２０内にコンテンツ再生端末１０からのコメントを記憶する接続先を設定したが、これをサーバ装置２０外に設定しても良い。
【０１０２】
なお、これまでの説明で、コンテンツは放送番組のコンテンツとして一例を説明したが、コンテンツ再生端末１０において再生できるコンテンツであれば、適宜に選択できる。例えば、ユーザが購入したＣＤやＤＶＤ等に記録されたコンテンツも対象となる。この場合、コンテンツ再生端末１０は、サーバ装置２０に記録された同時再生を希望するＣＤやＤＶＤ等のコンテンツを、タイトルを基に検索するとともに、コンテンツ記憶部１２ｂとしてのディスクドライブ装置に装着されているＣＤやＤＶＤ等を識別する情報をサーバ装置２０に送信し、同時再生予約を行う。
【０１０３】
なお、本発明に係るコンテンツ再生端末１０及びサーバ装置２０は、それぞれ、通常のコンピュータにより実現できる。この場合、上記の実施形態で説明したプログラムは、コンピュータにより実行される。また、コンピュータは、プログラムに従って、それぞれ、上記の実施形態で説明した動作を行う。また、プログラムは、持ち運び可能な記録媒体等に記録されたものでもよい。持ち運び可能な記録媒体には、例えば、ＣＤ−ＲＯＭ、ＤＶＤ−ＲＯＭ、ＢＤ−ＲＯＭ等がある。また、プログラムは、持ち運び可能な記録媒体から各種読取装置を介して、コンテンツ再生端末１０及びサーバ装置２０にそれぞれインストールされたものでも良い。さらに、プログラムは、インターネット等を介して、コンテンツ再生端末１０及びサーバ装置２０にそれぞれダウンロード及びインストールされたものでもよい。また、プログラムは、コンテンツ再生端末１０、サーバ装置２０と通信可能なサーバ等の記憶装置に格納されたものでも良い。
【０１０４】
その他、本発明は、上記実施形態の説明及び図面によって限定されるものではなく、上記実施形態及び図面に適宜変更等を加えることは可能である。
【符号の説明】
【０１０５】
１  コンテンツ再生システム
１０  コンテンツ再生端末
１１  制御部
１１ａ  再生予約設定部
１１ｂ  再生予約情報送信部
１１ｃ  再生制御部
１１ｄ  通信制御部
１１ｅ  コンテンツ記録部
１２  記憶部
１２ａ  プログラム記憶部
１２ｂ  コンテンツ記憶部
１２ｃ  再生予約情報記憶部
１２ｄ  放送番組情報記憶部
１３  放送受信部
１４  操作部
１５  表示部
１６  サーバ通信部
２０  サーバ装置
２１  制御部
２１ａ  再生予約情報記録部
２１ｂ  接続先設定部
２１ｃ  コメント処理部
２２  記憶部
２２ａ  プログラム記憶部
２２ｂ  再生予約情報記憶部
２２ｃ  コメント記憶部
２３  端末通信部
【図１】
2013207791.tif 000003
【図２】
2013207791.tif 000004
【図３】
2013207791.tif 000005
【図４】
2013207791.tif 000006
【図５】
2013207791.tif 000007
【図６】
2013207791.tif 000008
【図７】
2013207791.tif 000009
【図８】
2013207791.tif 000010
【図９】
2013207791.tif 000011
【図１０】
2013207791.tif 000012
【図１１】
2013207791.tif 000013
【図１２】
2013207791.tif 000014
【図１３】
2013207791.tif 000015
【図１４】
2013207791.tif 000016
【図１５】
2013207791.tif 000017
【図１６】
2013207791.tif 000018
【図１７】
2013207791.tif 000019
【図１８】
2013207791.tif 000020
【図１９】
2013207791.tif 000021
【図２０】
2013207791.tif 000022
【図２１】
2013207791.tif 000023
【図２２】
2013207791.tif 000024
【図２３】
2013207791.tif 000025
【図２４】
2013207791.tif 000026